(57)【特許請求の範囲】
【請求項１】
アンモニウム窒素肥料または土壌中に存在するアンモニウムを、それを必要とする作物に適用する効率を向上させるための液体配合物の製造方法であって、該液体配合物が、
・3,5ジメチルピラゾール、
・リン酸、及び
・アミノ酸
を含む、前記方法。
【請求項２】
下記
3,5ジメチルピラゾール：総量の6質量％と19質量％の間の量；
リン酸：総量の2質量％と32質量％の間の量；
アミノ酸：総量の1質量％と15質量％の間の量；
水：100%を構成するための量；
を含む、請求項１記載の液体配合物の製造方法であって、
前記液体配合物は、下記の痕跡量の元素を含む、前記方法。
ヒ素 < 1.0ppm、カドミウム <0.7ppm、水銀 <0.5ppm、鉛 <8.0ppm
【請求項３】
各成分をタンク内で混合する工程を含む、請求項２に記載の製造方法。
【請求項４】
前記タンクが、下記の特徴を有する、請求項３記載の製造方法：
前記タンクは、4,000リットルの容量を有し、
前記タンクは、機械的パドル攪拌機を備えており、前記機械的パドル攪拌機は、シャフトに取付けられた２枚のパドルを有しており、そのうち１枚が前記タンクの底部近くにあり、もう１枚が記シャフトの長さのほぼ半ばに位置しており、前記機械的パドル攪拌機は、適切な装置によって稼働し、
前記タンクは、その壁面にバッフルが取付けられており、
前記タンクは、その壁面に、蒸気により加熱され、これによりタンクの内容物を加熱するためのコイルが配置されている。
【請求項５】
前記タンクに2,400kgと3,600kgの間の量のリン酸を加え、
攪拌システムを稼働しながら、前記混合物を蒸気によって53℃と92℃の間の温度に暖め、
380kgと550kgの間の量の3,5ジメチルピラゾールを加えた後、500リットルの水を加え、25℃と50℃の間の温度に冷却し、該温度において、480リットルと580リットルの量のアミノ酸を加え、且つ、その後
前記混合物の残余をさらなる水を用いて仕上げて、4,000リットルの前記混合物を得て、前記混合物が均質化するまで撹拌を続行する、請求項３記載の製造方法。
【請求項６】
前記混合物を仕上げて均質化した後、前記混合物を約10℃と25℃の間の温度に達するまで冷却し、この温度において、前記混合物は梱包できる状態になり、梱包過程を、前記タンクから、22リットルのプラスチック材料の容器に適した連結物を介して、重力により直接実施し、梱包過程を、1パレットあたり32個の容器をパレタイズし、適切な梱包材で包むことにより終了させる、請求項３記載の製造方法。
【請求項７】
アンモニウム窒素肥料または土壌中に存在するアンモニウムをそれを必要とする作物に適用する効率を向上させるための液体配合物であって、3,5ジメチルピラゾール、リン酸、及びアミノ酸を含む、前記液体配合物。
【請求項８】
請求項７に記載の、アンモニウム窒素肥料または土壌由来のアンモニウムをそれを必要とする作物に適用する効率を向上させるための液体配合物であって、
3,5ジメチルピラゾール：総量の6質量％と19質量％の間の量；
リン酸：総量の2質量％と32質量％の間の量；
アミノ酸：総量の1質量％と15質量％の間の量；
水：100%を満たすまでの量；
を含み、且つ
下記の痕跡量の元素を含む、前記液体配合物。
ヒ素 < 1.0ppm、カドミウム <0.7ppm、水銀 <0.5ppm、鉛 <8.0ppm。
【発明の詳細な説明】
【技術分野】
【０００１】
本出願は、一般に、化学肥料の分野に関する。特に、本出願は、アンモニウム窒素肥料および土壌中に存在するアンモニウムの使用を改良して土壌に適用した特定の肥料の植物による吸収をより効率的にする製品および方法である。
【背景技術】
【０００２】
発明の背景
窒素、炭素、水素、酸素、リンおよびイオウは、全ての生物とって不可欠の構成成分の１部である。土壌は、植物成長にとって必要な他の主要および微量栄養素に加えて、これらの成分の全てを自然の形態で含んでいる。典型的には、そのような成分は、土壌中に、植物または作物の栄養吸収、成長および最高収穫を維持し得る十分な量また形態では存在してはいない。これらの欠点を克服するには、多くの場合、肥料を、ある種の栄養素と一緒に、一定量で且つ独自の方法で土壌に添加し、それによって土壌または基質いずれかの成長培地を富化させる。窒素施肥に関しては、植物は窒素をアンモニアまたは硝酸塩として吸収し、両形態は土壌中に存在するが強力で且つ異なる利点を伴う。窒素は、他の栄養素とは異なり、活力、生産性および果実品質の決定要因である。土壌中の無機窒素の形態の中で、硝酸塩とアンモニウムのもののみが、農業栄養において重要である。土壌に適用されるアンモニア肥料は、土壌中で自然に見出される細菌の産物である、硝化(アンモニウムの硝酸塩への変換)のプロセスにさらされる。
【０００３】
現場条件下では、硝化は極めて迅速に進行し、土壌中の窒素の主要形態は硝酸塩である。植物および環境の見地からは、アンモニウムが利用可能であるのであれば、硝酸塩よりもアンモニウムが好ましいが、その亜硝酸塩および硝酸塩変換は極めて速い。根においてはまれにアンモニアがアミノ酸系に直接移行することがあるが、硝酸塩は還元されなければならない(NO3- + 8H+ + 8e- -> NH3 + 2H2O + OHー)。硝酸塩がアンモニア源と一緒に施肥し、それが根の近くである場合、その吸収は極めて速い。アンモニウムは、植物のサイトカイニンホルモン類の増量を引起し、硝酸塩よりも一層花芽分化を促進する。しかしながら、硝酸塩吸収はカチオン取込みを刺激し、一方、アンモニア吸収はカチオン取込みを抑制する。
【０００４】
この栄養素は、その土壌動力学によれば、人の健康、環境および生産性への影響力を有する損失を受けやすい。これらの損失は、主として、浸出、脱窒作用および蒸発によって生ずる。浸出は土壌および表面水の重度の汚染を引起し、この汚染は、その環境において、水路の過渡の藻類増殖、さらに、胃がんおよびメトヘモグロビン血症のような人の健康問題の原因となる。脱窒作用および蒸発は、対流圏(NO)におけるオゾン(O3)量上昇、大気圏視界の低下、酸性雨の増加、成層圏(N2O)内でのO3量の低下および地球温暖化の原因となる。
【０００５】
硝酸塩形の窒素は、極めて可溶性であり、負に荷電した硝酸根イオン故に、粘土腐食質複合体土壌中には吸収され得ず、この硝酸塩形窒素は、浸出により喪失する。尿素形の電荷を有しない窒素は、転換しないものの、同じ浸出過程を被る。アンモニア形の窒素のみが、土壌粘土腐食性複合体中に保持され得る。従って、窒素損失を抑制し窒素肥料をより効率的に使用する研究技術は、肥料工業の世界的な優先課題の１つである。
【０００６】
より効率的で且つ安全な窒素使用を可能にする方法および技術は存在しており、これらの方法および技術は、施肥するときに、植物必須条件を肥料適用と調和させる設定を行うことを目的としている。これらの方法および技術のうちで、本発明者等は、施肥分割、滴下施肥(fertigation)、植物生理学に応じる施肥、遅延放出肥料、および硝化抑制剤のようなプロセス抑制剤の使用を見出した。
【０００７】
最新技術は、より有効な窒素施肥を行う４つのタイプの製品を検討している。
１．遅延および/または制御放出肥料は、植物栄養素を投与された肥料の可用性および適用後の使用を遅らせる形で含有し、栄養素供給物を数か月間投与し、毒性を塩類の遅延伝達によって漸次的に低下させ、そして、損失または植物毒性を引起すことなく肥料の大部分を分配する肥料である。
【０００８】
２．遅延溶解および分解分子は、尿素縮合生成物およびそのアルデヒドである：尿素/ホルムアルデヒド(UF) 38% N；尿素/イソブチルアルデヒド [IBDU (登録商標)] 32% N；クロトニル二尿素[CDU (登録商標)] 32.5% N。遅延溶解は、これらの生成物の限られた溶解性および植物にとっての吸収可能形までの土壌分解時間に基づく。
【０００９】
３．通常のコーテッド肥料は、栄養素の放出速度を制御する保護用の不浸透性または半浸透性物(イオウ(SCU))、合成ポリマー(PCF)、有機材料(ワックス)でコーティングされている肥料である。
４．最後に、ウレアーゼおよび硝化の阻害剤は、細菌作用を阻害し、尿素のアンモニア変換およびアンモニウムの硝酸塩への変換を遅らせ、浸出性硝酸塩としてのまたは脱窒によるNの損失量を低下させる化合物である。これらの阻害剤の例は、nBTPTウレアーゼ阻害剤、ニトラピリン硝化阻害剤(USにおいてのみ使用)、DCD硝化阻害剤およびDMPP硝化阻害剤(より有効でより良好な適合性)である。
【００１０】
DMPPは、アンモニウムの細菌による亜硝酸塩への酸化を、ニトロソモナス細菌特異的な酵素アンモニアモノオキシゲナーゼ(AMO)の作用を阻害することによって遅延させる。DMPPは、静菌作用を有するが殺菌作用を有さず、細菌増殖をより遅くし、硝酸塩を犠牲にして土壌中のアンモニウムの一時的増加を生じさせる。その利点は、ニトロソモナス細菌阻害の高い有効性、4〜10週間の静菌効果、DMPPがニトロソモナス細菌を阻害するのみであることからの高い選択性、土壌中で完全に分解すること、極めて低投与量で有効であること、全ての種類の製剤に取り込めること、浸出による損失が少ないこと、尿素蒸発の１部を抑制すること、無毒であることである。
【００１１】
背景技術
最新技術から採用して、液体肥料および顆粒、ペレットまたは粉末の乾燥肥料双方の数例を引用した。例えば、US 4,356,021号特許は、酸化亜鉛とチオ硫酸アンモニウムからなる液体肥料を記載している。特許US 5,372,626号は、金属イオンとクエン酸を含み、植物の根に適用する組成物を記載している；特許US 5,997,600号は、キレート形金属イオン、特に、金属酸化物を含む肥料添加剤を記載している。さらに、最新技術において、遅延放出肥料およびコーテッド肥料の数例を引用した。例えば、US特許第5,435,821号は、遅延放出肥料、窒素肥料または農薬の少なくとも主要栄養素と微量栄養素の混合物を含み、その後、制御放出コーティングとして作用するスルホン化ポリマーでコーティングする植生改良用の薬剤を記載している；US特許第5,725,630号は、アルカン酸を含有し、その後、粒状補助剤と混合して粒状乾燥肥料を製造する液体肥料の製造方法を記載している。特許第1,592,804号は、水溶性メタリン酸カリウムと水不溶性メタリン酸カリウムを含む肥料を記載している。上記不溶性メタリン酸カリウムは、100μm未満の薄いまたは微細に結晶化させた結晶として存在するが、これらの結晶は被覆されていない。特許US 4,036,627号は、メチレン−尿素(metilen−urea)と反応させることなく尿素を混合している窒素肥料を記載している。メチレン−尿素は、時間をかけて分解する長鎖ポリマーであるが、コーティングされてなく、従って、尿素蒸発を遅延させるまたは阻止する方法である。フランス特許FR 2,599,736号は、木質材料、植物材料、動物由来材料、無機成分およびポリウロニド(polyuronide)の混合物を含む肥料である。該肥料顆粒(木質材料)は、顆粒分解を遅延させる樹脂の単一層または二重層によってコーティングされている。もう１つの例は、既に開放(vanquish)された消火器粉末からの液体肥料の製造を記載しているスペイン特許第2,288,416号である。水希釈過程の後、窒素、リンおよびカリウム栄養素を液体中に溶解させている最終液体が得られる；最新技術の１つの最後の例はスペイン特許第2,259,908号であり、その発明は、濃厚ゲル肥料タイプを粘土空間分散によって取得する手法からなり、化学部門に属し、肥料工業における用途となる。上記方法は、剪断による粘土空間分散を使用して、肥料または銅ゲルを生産している。
【発明の概要】
【００１２】
発明の要約
本発明は、アンモニア性窒素肥料および土壌中に存在するアンモニウムの効率および性能を向上させる、補助剤あり又はなしの配合物および液体配合物、3,5 DMP、リン酸、水、アミノ酸の混合物を使用しての製造方法に関し、これらの配合物は、このイノベーションにおいて確立させた過程の後、アンモニア窒素性肥料と混合された3,5ジメチルピラゾール液体ホスファート配合物になり、農業水利中に組み込まれ、アンモニウムを分解してアンモニウムを硝酸塩に変換する土壌細菌であるニトロソム(Nitrosome)減退を起こす。このように、この液体配合物を適用することによって、極めて浸出性であり且つ地下水を汚染して窒素による汚染を生ずる硝酸塩とは対照的に、この変換をより遅くし、そのアンモニア性の相中では低浸出性である窒素の効率を高めることを達成している。また、上記は、畜産農家から得られるスラリーを、窒素リッチであり、主としてアンモニア形で存在する有機肥料として使用する場合にも応用可能である。さらに、上記生成物の配合において存在するアミノ酸は、作物根塊による肥料の吸収を刺激し容易にする。この生成物の主たる利点は、この生成物が液体であって、使用するのを容易にし、さらに、ある場合には、種々の肥料と混合して、これもまた、点滴または散水灌漑を有する作物に容易に適用可能にすること、この生成物は植物の根系が位置する土壌に直接適用できることである。
【発明を実施するための形態】
【００１３】
詳細な説明
本発明の生成物は、農業において、特に、１年生作物、果樹及び牧草地の施肥において、または土壌に対して直接使用して、現存する問題、特に、アンモニアの硝酸塩変換速度を解決することを意図する。作用モードは、アンモニウムを亜硝酸塩に、次いで硝酸塩に変換する硝化過程であって、通常は、硝酸塩になるのが極めて速い硝化過程を減じることを目的とする。後述するように、本発明の配合物は、肥料と一緒に作用して、可用性土壌アンモニウムの量をより長時間に多く吸収させ、植物および環境に対して多くの利益をもたらす。
【００１４】
本発明の一般的処方の結果は、下記のとおりである：
ジメチル−ピラゾールホスファート：総量の6質量％と19質量％の間の量；
リン(P20)：総量の2質量％と32質量％の間の量；
アミノ酸：総量の1質量％と15質量％の間の量；
水：100%を満たすまでの量；
また、混合により、上記方法の結果として、下記の痕跡量の元素も発生する：
ヒ素 < 1.0ppm、カドミウム <0.7ppm、水銀 <0.5ppm、鉛 <8.0ppm。
【００１５】
本発明の製造の例は、総量4,000リットルの肥料共補助剤の製造をベースとする。当該技術における熟練者であれば、上記混合物の製造において重要である各成分の添加順序を維持するであろう。また、使用する混合器のタイプも重要であり、適切な任意の他の混合器を使用してもよい。
【００１６】
図１は、本発明の混合物の製造において使用する手順に相応するフローチャートを示している。
上記混合物の製造においては、4,000リットルの有効容量を有する円筒状タンクを使用する。この場合、上記タンクは、シャフトに取付けられた２枚のパドルであって、そのうちの１枚が上記タンクの底部近くにあり、他の１枚が上記シャフトの長さのほぼ半ばに位置する前記２枚のパドルを有し、適切な装置によって始動させる機械的パドル混合器である。上記タンクには、その壁に取付けたバッフルが取付けられており；さらに、上記タンクの壁には、水蒸気によって加熱されて容器内容物を加熱する管状コイルが配置されている。
【００１７】
製造は、上記混合容器内に2,400kgと3,600kgの間の量のリン酸を入れ、該装入物を、上記攪拌装置を稼働しながら、水蒸気によって53℃と92℃の間の温度に温め、380キロと550キロの間の量の3.5DMP (3,5ジメチル−ピラゾール)を加える。その後、500リットルの水を加え、25℃と50℃の間の温度に冷却する。この温度において、480リットルと580リットルの量のアミノ酸を加え、次いで、上記混合物の残余をさらなる水で補って4,000リットルの混合物を達成し、攪拌を混合物が均質化するまで続行する。
【００１８】
上記混合物を10℃と25℃の間の温度に達するまで冷却する。この温度において、上記混合物を梱包できる状態になる。梱包過程は、上記タンクから、22リットル容器を充填するための適切な連結物、この場合においてはプラスチック材の容器を充填するための適切な連結物を介して、重力により直接実施する。梱包過程は、パレットあたり３２個の容器をパレタイズし、適切な梱包材でラッピングすることによって終了させる。